(57)【要約】【課題】往復葉書、及びその往復葉書を製作するための往復葉書用シートに関し、全体がＡ４サイズ等の規格寸法の用紙からなる４枚の紙片を有する往復葉書でありながら、上記郵便法の条件を満たすような往復葉書を提供することを課題とする。【解決手段】「郵便往復はがき」等の葉書表示文字を表面に記載した葉書本体と、該葉書本体の表裏両側に折り畳み可能に連設されて該葉書本体に剥離可能に接着される表面添付物及び裏面添付物とからなり、該表面添付物及び裏面添付物が前記葉書本体に接着された状態において、前記葉書本体に表示された葉書表示文字が前記表面添付物に隠蔽されることなく読みとれるように形成され、且つ前記表面添付物又は裏面添付物のうちのいずれか一方に返信葉書片が連設され、しかも前記葉書本体、表面添付物、裏面添付物、及び返信葉書片を構成している計４枚のシート片は、全体を展開した状態の長方形状の往復葉書用シートの縦横に２枚ずつ配置されるように構成されていることである。【選択図】    図１
2004174916.tif 000002
【特許請求の範囲】
【請求項１】
「郵便往復はがき」等の葉書表示文字（５）  を表面に記載した葉書本体（１６）と、該葉書本体（１６）の表裏両側に折り畳み可能に連設されて該葉書本体（１６）に剥離可能に接着される表面添付物（１７）及び裏面添付物（１８）とからなり、該表面添付物（１７）及び裏面添付物（１８）が前記葉書本体（１６）に接着された状態において、前記葉書本体（１６）に表示された葉書表示文字（５）  が前記表面添付物に隠蔽されることなく読みとれるように形成され、且つ前記表面添付物（１７）又は裏面添付物（１８）のうちのいずれか一方に返信葉書片（１９）が連設され、しかも前記葉書本体（１６）、表面添付物（１７）、裏面添付物（１８）、及び返信葉書片（１９）を構成している計４枚のシート片は、全体を展開した状態の長方形状の往復葉書用シート（１）  の縦横に２枚ずつ配置されるように構成されていることを特徴とする往復葉書。
【請求項２】
４枚のシート片（１ａ），（１ｂ），（１ｃ），（１ｄ）  が縦横に２枚ずつ連設されて１枚の長方形状のシートに形成された往復葉書用シートにおいて、前記４枚のシート片（１ａ），（１ｂ），（１ｃ），（１ｄ）  のうちいずれか１枚のシート片は、「郵便往復はがき」等の葉書表示文字（５）  を表面に記載した葉書本体（１６）を形成するためのシート片であり、他の３枚のシート片は、前記葉書本体（１６）の表裏両側に折り畳み可能に連設される表面添付物（１７）及び裏面添付物（１８）、並びに該表面添付物（１７）又は裏面添付物（１８）のうちのいずれか一方に連設される返信葉書片（１９）であり、前記４枚のシート片（１ａ），（１ｂ），（１ｃ），（１ｄ）  のうち、２枚のシート片の連設部は分断可能な分断部（６）  として形成され、且つ該分断部（６）  を分断するとともに分断されない２箇所の連設部（７），（８）  を介して前記４枚のシート片（１ａ），（１ｂ），（１ｃ），（１ｄ）  を折り畳んだときに前記表面添付物（１７）及び裏面添付物（１８）が前記葉書本体（１６）に接着可能であり、且つ該表面添付物（１７）及び裏面添付物（１８）が前記葉書本体（１６）に接着された状態において前記葉書本体（１６）に表示された葉書表示文字（５）  が前記表面添付物（１７）に隠蔽されることなく読みとることができるような往復葉書（１０）が形成されるように構成されてなることを特徴とする往復葉書用シート。
【発明の詳細な説明】
【０００１】
【発明の属する技術分野】
本発明は、往復葉書、及びその往復葉書を製作するための往復葉書用シートに関するものである。
【０００２】
【従来の技術及び発明が解決しようとする課題】
周知のように、往復葉書は１枚の往信表示片と１枚の返信表示片からなるものであるが、これでは往信時に表示しうる情報量が制限されることから、近年においては、情報量を増大させるべく、返信葉書片以外の部分が２つ折り可能に形成された往復葉書が開発されている。
【０００３】
しかし、それでもまだ情報量を増やしたいとの要請があることから、さらに返信葉書片以外の部分が３つ折り可能に形成された下記特許文献１及び２のような往復葉書の特許出願もなされている。
【０００４】
【特許文献１】
実開平４−６３２７９号公報
【特許文献２】
特開平６−２１０９８４号公報
【０００５】
ところで、このような３つ折りの往復葉書には、大別して、受信者に伝達すべき情報をコンピューターで印字したビジネスフォーム方式の葉書と、商品等に関する情報が図柄等とともに印刷されたダイレクトメール用の葉書とがあるが、ビジネスフォーム方式の葉書と、ダイレクトメール用の葉書とのいずれの場合であっても、製造のための専用の装置が必要となる。
【０００６】
たとえば、ビジネスフォーム方式の葉書であれば、長尺状の連続帳票用紙を搬送し、コンピューターで印字し、折り曲げ且つ接着して、葉書の所定寸法に切断する装置が用いられる。このような連続帳票用紙はマージナルパンチと称される孔を両側に有し、そのマージナルパンチにプリンターのスプロケットを挿入して連続帳票用紙を送りつつ印字がなされるもので、全体が大がかりな装置となる。
また、このようなマージナルパンチにスプロケットを挿入して印字するプリンターの場合、文字情報を印字する場合には支障はないが、絵、写真等の図柄の情報を印刷する場合には、その図柄のデザイン等が単純なものとなり、受信者の視覚に訴えるだけの装飾性には乏しいものであった。
【０００７】
一方、ダイレクトメール用の葉書の場合、葉書サイズの紙片を多数枚綴った用紙が用いられ、印刷で情報が表示されるので、上記ビジネスフォーム方式の葉書用のプリンターに比べると、図柄のデザイン等に変化をもたらすことができるが、印刷用の版を用いて紙片を多数枚綴った用紙に一律に印刷がなされるので、各紙片に同一の情報を表示するような大量生産用には適しているものの、少量多品種のものに適用しようとすると、その分、別の版を準備しなければならず、コストが大幅に増大することとなるので、実用に適さないものとなる。
このため、このような従来の装置で製造されるダイレクトメール用の葉書は、不特定多数の受信者に送信することが前提とされている。
【０００８】
しかし、近年においては、私信用として受信者にそれぞれ異なる個人情報を表示して送信される場合もあり、そのためには上記のような従来のダイレクトメール用の葉書を製造する装置では対応することができず、たとえばＡ４サイズ等の規格寸法の用紙に印刷や印字を行うことができるパーソナルコンピュータに接続できるような汎用性のプリンターを用いる必要がある。
【０００９】
このような観点から、全体がＡ４サイズに形成された４つ折りの往復葉書に関する下記特許文献３及び４記載の出願もなされている。
【００１０】
【特許文献３】
特開平７−２７６８５７号公報
【特許文献４】
特開平８−７２４４２号公報
【００１１】
しかし、この特許文献３及び特許文献４記載の発明は、いずれも計４枚の紙片のうち、往信葉書片が２枚、返信葉書片が２枚で構成されており、従って、往信葉書片に表示できる情報は、２つ折り可能な葉書と同程度の情報しか表示することができず、多くの情報量を表示することができない。
【００１２】
さらに、現行郵便法では、葉書として郵送しうるための寸法や重量の面での条件が課せられている他、それ以外の条件も課せられている。すなわち、現行郵便法の郵便規則第１３条によれば、紙質及び厚さが官製葉書と同等以上のものであること、重量が２ｇ以上６ｇ以内であること等の規定があり、さらに同規則第１６条によれば、郵便葉書に薄い紙又はこれに類する添付物を上記第１３条の規定に触れず、且つ容易にはげないように全面を密着させたもので、上記添付物が「郵便葉書とこれに添付したものとの間にあり、且つこれらから分離して使用する物を添付したもの」に該当しないことが要求されている。
【００１３】
特に「添付物」の概念が問題となる上記第１６条の規定の条件を満たそうとすると、上記のような特許文献３及び４のようなＡ４サイズに形成された往復葉書、或いは上記特許文献１及び２のような３つ折り可能な往信部分を有する往復葉書は、郵便法に合致させることは容易ではない。
【００１４】
このような郵便法を意識して、たとえば下記特許文献５のような出願がなされている。
【００１５】
【特許文献５】
実用新案登録第２６０７６９１号公報
【００１６】
この特許文献５は、「郵便葉書」、「ＰＯＳＴ  ＣＡＲＤ」等の葉書表示文字を表面に記載した葉書本体と、該葉書本体の表裏両側に折り畳み可能に連設されて該葉書本体に剥離可能に接着される表面添付物及び裏面添付物とからなり、且つ該表面添付物及び裏面添付物が葉書本体に接着された状態において、葉書本体に表示された葉書表示文字が表面添付物に隠蔽されることなく読みとれるように形成されたものである。
【００１７】
この特許文献５における「「郵便葉書」、「ＰＯＳＴ  ＣＡＲＤ」等の葉書表示文字を表面に記載した葉書本体」は、上記郵便規則の「郵便葉書」に該当し、特許文献５における「表面添付物及び裏面添付物」は、上記郵便規則の「薄い紙又はこれに類する添付物」に該当する。
【００１８】
そして、平成７年４月５日発行の「近畿郵政局報」には、３つ折り葉書の場合、上記特許文献５のような「郵便葉書」、「ＰＯＳＴ  ＣＡＲＤ」等の葉書表示文字を、表面添付物に隠蔽されることなく読みとれるようにすることが、郵便規則に合致させるために必要であることも明記されている。
【００１９】
このような特許文献５や「近畿郵政局報」の記載を往復葉書に応用すべく、「郵便往復はがき」等の葉書表示文字を表面に記載した葉書本体と、該葉書本体の表裏両側に折り畳み可能に連設されて該葉書本体に剥離可能に接着される表面添付物及び裏面添付物とからなり、さらに返信葉書片を備えた下記特許文献６のような出願もなされている。
【００２０】
【特許文献６】
特開平１１−１８８９７８号公報
【００２１】
しかし、特許文献６に開示された往復葉書は、全体がＡ４サイズ等の規格寸法の用紙に形成されているわけではないので、印刷や印字を行うことができるパーソナルコンピュータに接続できるような汎用性のプリンターを用いることはできない。すなわち、４枚の紙片が横方向に連接されているので、製造するために大がかりな装置を必要とする。
【００２２】
本発明は、上記のような問題点を解決するためになされたもので、全体がＡ４サイズ等の規格寸法の用紙からなる４枚の紙片を有する往復葉書でありながら、上記郵便法の条件を満たすような往復葉書を提供することを課題とする。
【００２３】
【課題を解決するための手段】
本発明は、このような課題を解決するために、往復葉書及びその往復葉書を製作するための往復葉書用シートとしてなされたもので、往復葉書としての特徴は、「郵便往復はがき」等の葉書表示文字５を表面に記載した葉書本体１６と、該葉書本体１６の表裏両側に折り畳み可能に連設されて該葉書本体１６に剥離可能に接着される表面添付物１７及び裏面添付物１８とからなり、該表面添付物１７及び裏面添付物１８が前記葉書本体１６に接着された状態において、前記葉書本体１６に表示された葉書表示文字５が前記表面添付物に隠蔽されることなく読みとれるように形成され、且つ前記表面添付物１７又は裏面添付物１８のうちのいずれか一方に返信葉書片１９が連設され、しかも前記葉書本体１６、表面添付物１７、裏面添付物１８、及び返信葉書片１９を構成している計４枚のシート片は、全体を展開した状態の長方形状の往復葉書用シート１の縦横に２枚ずつ配置されるように構成されていることである。
【００２４】
また、往復葉書用シートとしての特徴は、４枚のシート片１ａ，１ｂ，１ｃ，１ｄ  が縦横に２枚ずつ連設されて１枚の長方形状のシートに形成された往復葉書用シートにおいて、前記４枚のシート片１ａ，１ｂ，１ｃ，１ｄ  のうちいずれか１枚のシート片は、「郵便往復はがき」等の葉書表示文字５を表面に記載した葉書本体１６を形成するためのシート片であり、他の３枚のシート片は、前記葉書本体１６の表裏両側に折り畳み可能に連設される表面添付物１７及び裏面添付物１８、並びに該表面添付物１７又は裏面添付物１８のうちのいずれか一方に連設される返信葉書片１９であり、前記４枚のシート片１ａ，１ｂ，１ｃ，１ｄ  のうち、２枚のシート片の連設部は分断可能な分断部６として形成され、且つ該分断部６を分断するとともに分断されない２箇所の連設部７，８を介して前記４枚のシート片１ａ，１ｂ，１ｃ，１ｄ  を折り畳んだときに前記表面添付物１７及び裏面添付物１８が前記葉書本体１６に接着可能であり、且つ該表面添付物１７及び裏面添付物１８が前記葉書本体１６に接着された状態において前記葉書本体１６に表示された葉書表示文字５が前記表面添付物１７に隠蔽されることなく読みとることができるような往復葉書１０が形成されるように構成されてなることである。
【００２５】
【発明の実施の形態】
以下、本発明の実施形態について図面に従って説明する。
【００２６】
（実施形態１）
本実施形態の往復葉書用シート１は全体が紙製のものであり、図１及び図２に示すように、全体が略Ａ４の大きさからなり、葉書の規格サイズに略等しい４つのシート片１ａ，１ｂ，１ｃ，１ｄ  に区画して構成されたものである。第１シート片１ａの表面側には、図１に示すように往信時の宛先・宛名を表示するための往信表示欄２が形成され、第３シート片１ｃの表面側には、図示していないが、後述する返信用の回答表示欄が設けられている。
【００２７】
また、第２シート片１ｂ及び第４シート片１ｄの表面側には、通信文等の情報を表示する情報表示欄３ａ，３ａ  がそれぞれ形成されている。第１シート片１ａと第３シート片１ｃとの連設部分には、ミシン目６が形成されている。
図１においては図示しないが、情報表示欄３ａ，３ａ  が形成された第２シート片１ｂ及び第４シート片１ｄの表面側には、該第２シート片１ｂと第４シート片１ｄ間を剥離可能とする接着剤が設けられている。
【００２８】
第１シート片１ａ及び第２シート片１ｂの裏面側には、図２に示すように、情報表示欄３ｂ，３ｂ  が形成され、該第１シート片１ａと第２シート片１ｂ間を剥離可能とする接着剤が設けられている。また、第３シート片１ｃの裏面側には、返信時の宛先・宛名を表示するための返信表示欄１１が形成されている。
さらに、第４シート片１ｄの裏面側には、図示していないが宣伝、広告等の表示がなされている。
そして、第２シート片１ｂ及び第４シート片１ｄの横幅は、第１シート片１ａ及び第３シート片１ｃの横幅より広く形成され、その広くはみ出した第２シート片１ｂの裏面側の側部のはみ出し部４には、「郵便往復はがき」の葉書表示文字５が表示されている。
【００２９】
そして、上記のような構成からなる往復葉書用シート１によって往復葉書を製作する場合には、ミシン目６を介して第１シート片１ａと第３シート片１ｃ間を分断し、図３乃至図６に示すように折曲部７を介して第１シート片１ａを第２シート片１ｂ側に折り曲げるとともに、剥離可能な接着剤を介して第１シート片１ａと第２シート片１ｂ間を接着する。また、折曲部８を介して第２シート片１ｂを第４シート片１ｄ側に折り曲げるとともに、剥離可能な接着剤を介して第２シート片１ｂと第４シート片１ｄ間を接着する。
これによって、第２シート片１ｂを葉書本体１６とし、第１シート片１ａを表面貼付物１７とし、第４シート片１ｄを裏面添付物１８とし、第３シート片１ｃを返信葉書片１９とする図３乃至図６に示すような往復葉書１０が製作されることとなる。
【００３０】
このようにして製作された往復葉書１０は、図３に示すように往信表示欄２が形成された第１シート片１ａを表面側に位置させ、その側方に、第２シート片１ｂのはみ出し部４に表示された「郵便往復はがき」の葉書表示文字５が裸出する構成とされたものである。
そして、図５及び図６に示すように、剥離可能な接着剤１２を介して第１シート片１ａと第２シート片１ｂ間とが接着され、剥離可能な接着剤１２を介して第２シート片１ｂと第４シート片１ｄ間が接着されている。
【００３１】
このような構成からなる往復葉書１０は、情報表示欄３ａ，３ａ  が形成された第２シート片１ｂと第４シート片１ｄ間、並びに情報表示欄３ｂ，３ｂ  が形成された第１シート片１ａと第２シート片１ｂ間がそれぞれ剥離可能な接着剤１２を介して接着されているため、情報表示欄３ａ，３ａ，３ｂ，３ｂ  が隠蔽された状態で送信されることとなる。
【００３２】
また、葉書本体１６として扱われる第２シート片１ｂに「郵便往復はがき」の葉書表示文字５が表示され、その葉書表示文字５が表面側添付物１７である第１シート片１ａからはみ出して表面側に裸出されているので、郵便法の規則に合致した往復葉書として、葉書の郵便料金で送信することができる。尚、一般の葉書と同様に第１シート片１ａの往信表示欄２に受信者の宛先宛名を記載して郵送されることはいうまでもない。
【００３３】
次に、上記のような往復葉書１０を受信した受信者は、図７に示すように第１シート片１ａと第２シート片１ｂ間を剥離する。これによって情報表示欄３ｂ，３ｂ  が裸出され、情報表示欄３ｂ，３ｂ  に表示された情報を判読することが可能となる。
【００３４】
この場合において、第１シート片１ａと第２シート片１ｂとの連設部分である折曲部７は長手方向に形成されたものであるため、展開した状態においては図７に示すように、横方向（短手方向）の見開きの状態となり、４つ折りの往復葉書であるにもかかわらず、一般の２つ折り、３つ折りの往復葉書と同様に取り扱いが容易となる。
【００３５】
さらに、情報表示欄３ａ，３ａ  が裸出されるように、第４シート片１ｄと第２シート片１ｂ間を剥離すると、図１に示すように、４つのシート片１ａ，１ｂ，１ｃ，１ｄ  がすべて展開された状態となり、これによって情報表示欄３ａ，３ａ  に表示された情報を判読することが可能となる。
【００３６】
そして、計４面の情報表示欄３ａ，３ａ，３ｂ，３ｂ  に情報が表示されることとなるので、多くの情報を表示することが可能となる。
【００３７】
そして受信者は、図８に示すように返信葉書片１９を連接部９を介して第４シート片１ｄから切り取り、該返信葉書片１９の裏面側の回答表示欄に回答すべき所定の事項を記載し、返信葉書として往信者に返送する。
【００３８】
（実施形態２）
本実施形態においても上記実施形態１と同様に往復葉書用シート１は全体が紙製のもので略Ａ４の大きさからなり、葉書の規格サイズに略等しい４つのシート片１ａ，１ｂ，１ｃ，１ｄ  に区画して構成されている。
【００３９】
第１シート片１ａの表面側に往信表示欄２が形成されている点は実施形態１と同様であるが、本実施形態では、図９に示すように、第３シート片１ｃと第４シート片１ｄの表面側に情報表示欄３ａ，３ａ  が形成されており、第２シート片１ｂの表面側に返信用の回答表示欄（図示せず）が設けられている。
【００４０】
ミシン目６は、第２シート片１ｂと第４シート片１ｄとの連設部分に形成されている。また、情報表示欄３ａ，３ａ  が形成された第３シート片１ｃ及び第４シート片１ｄの表面側には剥離可能な接着剤が設けられている。
【００４１】
第１シート片１ａと第３シート片１ｃの裏面側には、図１０に示すように、該第１シート片１ａ及び第３シート片１ｃ間を剥離可能とする接着剤が設けられている。また、第１シート片１ａと第３シート片１ｃの裏面側には情報表示欄３ｂ，３ｂ  が形成され、該第１シート片１ａと第３シート片１ｃ間を剥離可能とする接着剤が設けられている。
【００４２】
第３シート片１ｃ及び第４シート片１ｄの縦幅は、第１シート片１ａ及び第２シート片１ｂの縦幅より広く形成され、その広くはみ出した第３シート片１ｃの裏面側の下部のはみ出し部４に「郵便往復はがき」の葉書表示文字５が表示されている。
【００４３】
そして、上記のような往復葉書用シート１によって葉書を製作する場合には、ミシン目６を介して第２シート片１ｂと第４シート片１ｄ間を分断し、折曲部７を介して第４シート片１ｄを第３シート片１ｃ側に折り曲げるとともに、剥離可能な接着剤を介して第４シート片１ｄと第３シート片１ｃ間を接着する。また、折曲部８を介して第３シート片１ｃを第１シート片１ａ側に折り曲げるとともに、剥離可能な接着剤を介して第３シート片１ｃと第１シート片１ａ間を接着する。
これによって、第３シート片１ｃを葉書本体１６とし、第１シート片１ａを表面貼付物１７とし、第４シート片１ｄを裏面添付物１８とし、第２シート片１ｂを返信葉書片１９とする図１１乃至図１４に示すような往復葉書１０が製作されることとなる。
【００４４】
本実施形態の往復葉書１０も、実施形態１と同様に往信表示欄２が形成された第１シート片１ａが表面側に位置され、第３シート片１ｃのはみ出し部４に表示された「郵便往復はがき」の葉書表示文字５が裸出する構成とされているが、本実施形態では葉書表示文字５が表示されたはみ出し部４が上方にはみ出しており、この点で側方にはみ出した実施形態１の場合と相違している。
【００４５】
そして、図１３及び図１４に示すように、剥離可能な接着剤１２を介して第１シート片１ａと第３シート片１ｃ間とが接着され、剥離可能な接着剤１２を介して第３シート片１ｃと第４シート片１ｄ間が接着されている。
【００４６】
本実施形態においても、葉書本体１６として扱われる第３シート片１ｃに「郵便往復はがき」の葉書表示文字５が表示され、その葉書表示文字５が、表面側添付物１７である第１シート片１ａからはみ出して表面側に裸出されているので、郵便法の規則に合致した往復葉書として取り扱われることとなる。
【００４７】
次に、上記のような往復葉書１０を受信した受信者は、図１５に示すように第１シート片１ａと第３シート片１ｃ間を剥離する。これによって情報表示欄３ｂ，３ｂ  が裸出され、情報表示欄３ｂ，３ｂ  に表示された情報を判読することが可能となる。
さらに、情報表示欄３ａ，３ａ  が裸出されるように、第３シート片１ｃと第４シート片１ｄ間を剥離すると、図９に示すように、４つのシート片１ａ，１ｂ，１ｃ，１ｄ  がすべて展開された状態となり、これによって情報表示欄３ａ，３ａ  に表示された情報を判読することが可能となる。
【００４８】
そして受信者は、図１６に示すように返信葉書片１９を連接部９を介して第１シート片１ａから切り取り、該返信葉書片１９の裏面側の回答表示欄に回答すべき所定の事項を記載して返信葉書として往信者に返送する。
【００４９】
（実施形態３）
本実施形態においては、各シート片１ａ，１ｂ，１ｃ，１ｄ  の構成は上記実施形態１と同じであるが、葉書表示文字５を表面側から裸出させる構成が実施形態１と相違している。
すなわち、本実施形態では、図１７及び図１８に示すように第１シート片１ａの側方に細長い窓孔１３が穿設されている。そして、各シート片を折り畳んだときに図１９に示すように第２シート片１ｂに表示された葉書表示文字５が前記第１シート片１ａの窓孔１３から表面に裸出するように構成されている。
【００５０】
このような構成からなるために、本実施形態では上記実施形態１のようなはみ出し部４は形成されておらず、従って上記実施形態１のように各シート片の幅を変えて形成されるようなことはなく、図１７及び図１８に示すようにすべてのシート片１ａ，１ｂ，１ｃ，１ｄ  が同幅に形成されている。従って、上記実施形態１及び２ではみ出し部４が形成された幅広のシート片を葉書の規格寸法に形成すると、幅狭なシート片はそれ以下の寸法に形成せざるを得ず、その結果、シート片のスペースが狭くなるので、その分情報量が少なくなるが、本実施形態では、上記のように１つのシート片に形成された窓孔１３から他のシート片に表示された葉書表示文字５が裸出されるので、各シート片の幅を変えてはみ出し部４を形成する必要がなく、その結果、実施形態１及び２のように情報量に制限を受けるようなことがない。
【００５１】
図１７に示すように、第１シート片１ａの表面側に往信表示欄２が形成されている点、第２シート片１ｂと第４シート片１ｄの表面側に情報表示欄３ａ，３ａ  が形成されている点、第３シート片１ｃの表面側に返信時の回答表示欄が形成されている点、ミシン目６が第１シート片１ａと第３シート片１ｃとの連設部分に形成されている点等は実施形態１と同様である。
【００５２】
また、図１８に示すように、第３シート片１ｃの裏面側に返信表示欄１１が形成され、第２シート片１ｂの裏面側の側方に葉書表示文字５が表示され、情報表示欄３ｂ，３ｂ  が第１シート片１ａと第２シート片１ｂの裏面側に形成されている点も、実施形態１と同様である。
【００５３】
本実施形態の往復葉書を製作する場合においても、実施形態１と同様に、ミシン目６を介して第１シート片１ａと第３シート片１ｃ間を分断し、図２０に示すように折曲部７を介して第１シート片１ａを第２シート片１ｂ側に折り曲げるとともに、剥離可能な接着剤を介して第１シート片１ａと第２シート片１ｂ間を接着し、折曲部８を介して第２シート片１ｂを第４シート片１ｄ側に折り曲げるとともに、剥離可能な接着剤を介して第２シート片１ｂと第４シート片１ｄ間を接着する。
これによって、第２シート片１ｂを葉書本体１６とし、第１シート片１ａを表面貼付物１７とし、第４シート片１ｄを裏面添付物１８とし、第３シート片１ｃを返信葉書片１９とする図１９及び図２０に示すような往復葉書１０が製作されることとなる。
【００５４】
次に、上記のような往復葉書１０を受信した受信者は、図２１に示すように第１シート片１ａと第２シート片１ｂ間を剥離し、情報表示欄３ｂ，３ｂ  に表示された情報を判読し、さらに情報表示欄３ａ，３ａ  が裸出されるように第４シート片１ｄと第２シート片１ｂ間を剥離して、４つのシート片１ａ，１ｂ，１ｃ，１ｄ  がすべて展開された状態とする。これによって情報表示欄３ａ，３ａ  に表示された情報を判読することが可能となる。
【００５５】
受信者は、実施形態１の場合と同様に、返信葉書片１９を連接部９を介して第４シート片１ｄから切り取り、該返信葉書片１９の裏面側の回答表示欄に回答すべき所定の事項を記載して返信葉書として往信者に返送する。
【００５６】
（実施形態４）
本実施形態においては、各シート片１ａ，１ｂ，１ｃ，１ｄ  の構成は上記実施形態２と同じであるが、葉書表示文字５を表面側から裸出させる構成が実施形態１と相違している。
【００５７】
すなわち、本実施形態においても上記実施形態３と同様の葉書表示文字５を裸出させるための窓孔１３が第１シート片１ａに形成されているが、図２２に示すように窓孔１３が第１シート片１ａの上部に形成されている点で、側方に形成されている実施形態３の場合と相違する。従って、これに対応して本実施形態では葉書表示文字５が図２３に示すように第４シート片１ｄの下部に表示されている。
【００５８】
従って、本実施形態においても各シート片を折り畳んだときに図２４に示すように葉書表示文字５が窓孔１３から表面に裸出し、その結果、実施形態１及び２のようなはみ出し部４の形成が不要となるので、図２２及び図２３に示すようにすべてのシート片１ａ，１ｂ，１ｃ，１ｄ  を同幅に形成することが可能となる。
【００５９】
本実施形態の往復葉書を製作する場合においても、実施形態２と同様に、ミシン目６を介して第２シート片１ｂと第４シート片１ｄ間を分断し、折曲部７を介して第４シート片１ｄを第３シート片１ｃ側に折り曲げるとともに、剥離可能な接着剤を介して第４シート片１ｄと第３シート片１ｃ間を接着する。また、折曲部８を介して第３シート片１ｃを第１シート片１ａ側に折り曲げるとともに、剥離可能な接着剤を介して第３シート片１ｃと第１シート片１ａ間を接着する。
【００６０】
これによって、第３シート片１ｃを葉書本体１６とし、第１シート片１ａを表面貼付物１７とし、第４シート片１ｄを裏面添付物１８とし、第２シート片１ｂを返信葉書片１９とする図２４及び図２５に示すような往復葉書１０が製作されることとなる。
【００６１】
（実施形態５）
本実施形態でも上記実施形態３及び４と同様に窓孔１３が形成されているが、その形状が該実施形態と相違している。すなわち本実施形態の窓孔１３は、図２６に示すように、文字数に応じた複数個の円形の窓孔１３が形成されており、その点で細長い形状に形成された実施形態３及び４と相違する。
【００６２】
その他の構成は実施形態３と同様である。
【００６３】
（その他の実施形態）
尚、上記実施形態では、葉書表示文字５として「郵便往復はがき」の文字を用いたが、これに代えて「ＰＯＳＴ  ＣＡＲＤ」、「郵便葉書」、「往復郵便はがき」、「往復はがき」等の文字を用いることも可能である。
【００６４】
ここで、葉書本体１６に表示される葉書表示文字５を裸出させる手段は、上記実施形態１乃至４のようにシート片の幅を変えてはみ出し部４を形成し、そのはみ出し部４に葉書表示文字５を表示する手段、或いは実施形態５乃至７のように窓孔１３を形成してその窓孔１３から葉書表示文字５を裸出させる手段等問うものではない。
【００６５】
また、情報表示欄３ａ，３ａ，３ｂ，３ｂ  に情報を表示する手段は、通信文を印字することや、図画を印刷することなど、その種類は問わない。たとえばデジタルカメラ等で撮影した写真を、パーソナルコンピューターを用いてプリンターで印刷することも可能である。
【００６６】
また、上記各実施形態の剥離可能な接着剤１２の材質は問うものではない。たとえばエチレン−酢酸ビニル共重合樹脂、エチレン−エチルアクリレート樹脂、エチレン−アクリル酸共重合樹脂、ポリエチレン等を熱接着性の接着剤として任意に使用することができ、また感圧性の接着剤を使用することも可能である。接着剤の材質により、又は接着力を調整し、或いはシリコン樹脂等の剥離剤を混入することで剥離可能とすることができる。
さらに紫外線硬化型ワニスのようなものを剥離可能な接着剤１２として用いることも可能である。
【００６７】
さらに、接着剤に代えて合成樹脂製フィルムを介して剥離不能又は剥離可能に接着するような構造とすることも可能である。合成樹脂製フィルムとしては、ポリエチレン、ポリプロピレン、ポリスチレン、ポリ塩化ビニル、紫外線硬化性樹脂等のようなものを用いることができる。
【００６８】
さらに、本発明の往復葉書の用途も、コンピューターのラインプリンターの印字による文字を表示したいわゆる通知用として銀行，証券会社等で使用される往復葉書や、レーザープリンターによる印字のものの他、印刷を施したいわゆるダイレクトメール用として使用されるもの等その種類は問うものではない。各種形態の往復葉書はそれぞれ印字用，ダイレクトメール用等の種々の用途に使用することも可能である。
【００６９】
【発明の効果】
以上のように、本発明の往復葉書は、「郵便往復はがき」等の葉書表示文字を表面に記載した葉書本体と、該葉書本体の表裏両側に折り畳み可能に連設されて該葉書本体に剥離可能に接着される表面添付物及び裏面添付物とからなり、該表面添付物及び裏面添付物が前記葉書本体に接着された状態において、前記葉書本体に表示された葉書表示文字が前記表面添付物に隠蔽されることなく読みとれるように形成され、且つ前記表面添付物又は裏面添付物のうちのいずれか一方に返信葉書片が連設されたものであるため、４つ折りの往復葉書でありながら上記郵便法の条件を満たすような往復葉書を提供することが可能となった。
【００７０】
しかも前記葉書本体、表面添付物、裏面添付物、及び返信葉書片を構成している計４枚のシート片は、全体を展開した状態において１枚の長方形状の葉書用シートになるように構成されているため、汎用プリンターを用いて印刷等することができ、不特定多数の受信者を対象とするのみならず、特定の受信者に対する私信用の往復葉書としても使用することができるという効果がある。
【００７１】
さらに、計４枚のシート片のうち、３枚のシート片は往信用として使用することができるので、往信時の情報量に制限を受けることがなく、葉書サイズの４つの紙片を有している往復葉書が本来有している情報量の多さを十分に生かすことができるという効果がある。
【図面の簡単な説明】
【図１】一実施形態としての往復葉書用シートの正面図。
【図２】同背面図。
【図３】一実施形態としての往復葉書の正面図。
【図４】同背面図。
【図５】図３のＡ−Ａ線拡大断面図。
【図６】図３のＢ−Ｂ線拡大断面図。
【図７】２枚のシート片間を展開した状態の正面図。
【図８】返信葉書片を切断した状態の背面図。
【図９】他実施形態の往復葉書用シートの正面図。
【図１０】同背面図。
【図１１】他実施形態の往復葉書の正面図。
【図１２】同背面図。
【図１３】図１１のＣ−Ｃ線拡大断面図。
【図１４】図１１のＤ−Ｄ線拡大断面図。
【図１５】２枚のシート片間を展開した状態の正面図。
【図１６】返信葉書片を切断した状態の背面図。
【図１７】他実施形態の往復葉書用シートの正面図。
【図１８】同背面図。
【図１９】他実施形態の往復葉書の正面図。
【図２０】図１９のＥ−Ｅ線拡大断面図。
【図２１】２枚のシート片間を展開した状態の正面図。
【図２２】他実施形態の往復葉書用シートの正面図。
【図２３】同背面図。
【図２４】他実施形態の往復葉書の正面図。
【図２５】図２４のＦ−Ｆ線拡大断面図。
【図２６】他実施形態の往復葉書の正面図。
【符号の説明】
１…往復葉書用シート    １ａ，１ｂ，１ｃ，１ｄ…シート片
５…葉書表示文字        ６…分断部
７，８，９…連設部
【図１】
2004174916.tif 000003
【図２】
2004174916.tif 000004
【図３】
2004174916.tif 000005
【図４】
2004174916.tif 000006
【図５】
2004174916.tif 000007
【図６】
2004174916.tif 000008
【図７】
2004174916.tif 000009
【図８】
2004174916.tif 000010
【図９】
2004174916.tif 000011
【図１０】
2004174916.tif 000012
【図１１】
2004174916.tif 000013
【図１２】
2004174916.tif 000014
【図１３】
2004174916.tif 000015
【図１４】
2004174916.tif 000016
【図１５】
2004174916.tif 000017
【図１６】
2004174916.tif 000018
【図１７】
2004174916.tif 000019
【図１８】
2004174916.tif 000020
【図１９】
2004174916.tif 000021
【図２０】
2004174916.tif 000022
【図２１】
2004174916.tif 000023
【図２２】
2004174916.tif 000024
【図２３】
2004174916.tif 000025
【図２４】
2004174916.tif 000026
【図２５】
2004174916.tif 000027
【図２６】
2004174916.tif 000028